(57)【要約】【課題】足首のストレッチ運動も行わせることができるものとする。【解決手段】座部１１の前端側に上下回動自在に配されたオットマン２が脚マッサージ部２１とこの脚マッサージ部２１に回動自在に連結された足先マッサージ用の足マッサージ部２２とからなる。足先を足マッサージ部２２に固定する固定手段２６と、脚マッサージ部２１に対して足マッサージ部２２を上下に回動駆動する駆動手段とを備える。足先を固定した状態で脚マッサージ部２１に対して足マッサージ部２２を回動させることで、足首を屈曲させるストレッチ運動を行わせる。【選択図】図１
2005278700.tif 000002
【特許請求の範囲】
【請求項１】
座部の前端側に上下回動自在に配されたオットマンが脚マッサージ部とこの脚マッサージ部に回動自在に連結された足先マッサージ用の足マッサージ部とからなり、足先を足マッサージ部に固定する固定手段と、脚マッサージ部に対して足マッサージ部を上下に回動駆動する駆動手段とを備えていることを特徴とする椅子式マッサージ機。
【請求項２】
上記駆動手段は足マッサージ部を所定の角度内で往復回動させるとともに足首を伸ばした状態となる角度を所定時間保持するものであることを特徴とする請求項１記載の椅子式マッサージ機。
【請求項３】
座部の前端側に上下回動自在に配されたオットマンが脚マッサージ部とこの脚マッサージ部にスライド自在に連結された足先マッサージ用の足マッサージ部とからなり、足先を足マッサージ部に固定する固定手段と、脚マッサージ部に対して足マッサージ部をスライド駆動する駆動手段とを備えていることを特徴とする椅子式マッサージ機。
【請求項４】
上記駆動手段は足マッサージ部を所定の範囲内で往復スライド駆動させるとともに足先を伸ばした状態となる位置を所定時間保持するものであることを特徴とする椅子式マッサージ機。
【発明の詳細な説明】
【技術分野】
【０００１】
本発明は、椅子式マッサージ機、殊に脚マッサージ用の空気袋を備えたオットマンを装備している椅子式マッサージ機に関するものである。
【背景技術】
【０００２】
背もたれなどにマッサージ手段を内蔵している椅子式マッサージ機において、近年、脚マッサージ用の空気袋を備えたオットマンを装備しているものが多く提供されている。このような椅子式マッサージ機では、より安楽な状態を保つことができるように、背もたれをリクライニングさせることができるようにしているだけでなく、オットマンも座面の前端部付近を中心に上下に回動自在とすることで、ほぼ水平で脚を伸ばした安楽姿勢を維持することができる状態と、座部前端から垂れ下がって着席及び起立動作の邪魔になりにくい状態とを得られるようにしている。
【０００３】
そして特開平０９−０５７６７６６号公報においては、上記オットマンの回動動作を繰り返すことで、膝にストレッチ運動を行わせることができるようにしたものが示されている。
【特許文献１】特開平０９−０５７６７６６号公報
【発明の開示】
【発明が解決しようとする課題】
【０００４】
本発明に係る椅子式マッサージ機は、膝のストレッチに加えてあるいは膝のストレッチに代えて、足首あるいは足先のストレッチ運動も行わせることができるようにしたものを提供することを課題とするものである。
【課題を解決するための手段】
【０００５】
上記課題を解決するために本発明に係る椅子式マッサージ機は、座部の前端側に上下回動自在に配されたオットマンが脚マッサージ部とこの脚マッサージ部に回動自在に連結された足先マッサージ用の足マッサージ部とからなり、足先を足マッサージ部に固定する固定手段と、脚マッサージ部に対して足マッサージ部を上下に回動駆動する駆動手段とを備えていることに特徴を有している。足先を固定した状態で脚マッサージ部に対して足マッサージ部を回動させることにより、足首を屈曲させるストレッチ運動を行わせることができる。
【０００６】
この時、上記駆動手段は足マッサージ部を所定の角度内で往復回動させるとともに足首を伸ばした状態となる角度を所定時間保持するものであることが好ましい。
【０００７】
また本発明に係る椅子式マッサージ機は、座部の前端側に上下回動自在に配されたオットマンが脚マッサージ部とこの脚マッサージ部にスライド自在に連結された足先マッサージ用の足マッサージ部とからなり、足先を足マッサージ部に固定する固定手段と、脚マッサージ部に対して足マッサージ部をスライド駆動する駆動手段とを備えていることに特徴を有している。足先を固定した状態で脚マッサージ部に対して足マッサージ部をスライドさせることにより、足先を引っ張って伸ばすストレッチ運動を行わせることができる。
【０００８】
この場合においても、上記駆動手段は足マッサージ部を所定の範囲内で往復スライド駆動させるとともに足先を伸ばした状態となる位置を所定時間保持するものであることが好ましい。
【発明の効果】
【０００９】
本発明では、足先を固定した状態で足マッサージ部を回動させたりスライドさせることから、足首を屈曲させるストレッチや足先を引っ張って伸ばすストレッチを行わせることができる。
【発明を実施するための最良の形態】
【００１０】
以下、本発明を添付図面に示す実施形態に基いて説明すると、図２及び図３に示すように、この椅子式マッサージ機１は、マッサージ機構（図示せず）を内蔵する背もたれ１０と座部１１と肘掛け１２とを備えるとともに、座部１１の前端側にオットマン２を配したもので、このオットマン２は下肢のマッサージを行うことができる脚マッサージ部２１と、足先部分のマッサージを行うことができる足マッサージ部２２とで構成されている。
【００１１】
上記脚マッサージ部２１は、その表面に下肢を位置させることができる２本の溝２３，２３を有するとともに、各溝２３の両側面に空気袋２４，２４を配して、これら空気袋２４，２４を膨張収縮させることで下肢に対するマッサージを行うものとなっており、上記足マッサージ部２２も、表面に設けた２本の溝２５，２５の両側面及び底面に夫々空気袋２６を配して、これら空気袋２６の膨張収縮で足先部分に対するマッサージを行うものとなっている。ただし、足マッサージ部２２における溝２５の両側面に配した空気袋２６は、足先を挟持することで足マッサージ部２６に足先を固定して溝２５の底面に配された空気袋２６の膨張によるマッサージが有効になされるようにすることも担っている。
【００１２】
そして脚マッサージ部２１と足マッサージ部２２とからなるオットマン２は、図１に示すように、椅子式マッサージ機１のフレーム１５にリンク３を介して連結されるとともに該リンク３を駆動する電動伸縮機構１６によって、座部１１の前端から垂れ下がった状態とほぼ水平となる状態との間で上下に回動自在になっている。
【００１３】
また、足マッサージ部２２は脚マッサージ部２１に対して回動自在に連結されているとともに上記リンク３にも連結されることで、脚マッサージ部２１とともに上下に回動する時、常時水平状態を維持するように、つまり図中の角度αと角度βとが常にほぼ同じになるようにされている。このために、オットマン２を座部１１の前端から垂れ下がった状態としている時、足先はその足裏を足マッサージ部２２上に載せることができる状態となり、オットマン２を水平状態にした時には、足マッサージ部２２上に足首の裏側を載せることができる状態となる。
【００１４】
そして、オットマン２が回動してその姿勢を変化させる時、脚マッサージ部２１の空気袋２４及び足マッサージ部２２の空気袋２６はいずれもが収縮した状態となっているのであるが、足首ストレッチモードで動作させたならば、オットマン２はいったん座部２の前端から垂れ下がった状態となり、この時点で足マッサージ部２２の両側面の空気袋２６を膨張させることで、足裏が足マッサージ部２２上に載っている状態に足先を固定する。そしてこの状態を保持したまま、電動伸縮機構１６を作動させてオットマン２に繰り返しの上下回動を行わせる。
【００１５】
足裏が足マッサージ部２２上に載った状態に固定されたまま図１に示す２つの状態の間でオットマン２が上下回動を繰り返すために、使用者にしてみれば足首の屈曲動作が強制されることになるものであり、従ってオットマン２の上下回動による膝のストレッチに加えて足首のストレッチ運動がなされる。
【００１６】
この時のオットマン２の上下回動は、図４に示すように、足首を伸ばした状態をしばし保持するようになっていることが、ストレッチの有効性をより高くすることになるために好ましい。なお、図４(a)に示すように、回動及び復帰回動に要する時間は、同じ（Ｔ１＝Ｔ２）としたり、前者を後者より長く（Ｔ３＞Ｔ４）したり、逆に後者を前者より長く（Ｔ５＜Ｔ６）とすることで、さまざまなストレッチパターンを実施することができる。
【００１７】
また、図４(b)に示すように、回動範囲を任意の角度内とするようにしてもよく、また関節への負担を少なくするために、図４(c)に示すように、回動角度範囲を徐々に大きくするようにしておくことも好ましい。
【００１８】
上記の実施例では、オットマン２の回動に伴って脚マッサージ部２１に対する足マッサージ部２２の角度がリンク３によって連動変化するようにしているが、図５に示すように、電動伸縮機構１６によって回動駆動される脚マッサージ部２２に対する足マッサージ部２２の角度の変更をモータＭによって行うようにしてもよい。この場合、脚マッサージ部２２の角度αとは関係なく足マッサージ部２２の角度βを変化させることができるために、脚マッサージ部２２の角度αは固定したまま、足首をストレッチさせることも可能となり、より多様なストレッチパターンを実施することができる。
【００１９】
図６以下に別の実施形態の一例を示す。ここでは足マッサージ部２２が備えるレール部２８に脚マッサージ部２１が備えるスライダー部２９を連結することで足マッサージ部２２を脚マッサージ部２１に対してスライド自在とするとともに、電動もしくは空気圧で伸縮する伸縮ユニット４によってスライド駆動することで、脚マッサージ部２１と足マッサージ部２２との間隔Ｌを変化させることができるようにしている。足マッサージ部２２の両側面の空気袋２６を膨張させて足先を固定した状態で上記スライド駆動を行うことによって、足先を引っ張って腱を伸ばすストレッチ運動を行うことができるものである。
【００２０】
この時の上記伸縮ユニット４を伸縮させることによる上記間隔Ｌの変化は、やはり図８に示すように、足先を引っ張った状態をしばし保持するようにしておくことが、ストレッチの有効性をより高くする点で好ましい。また、図８(a)に示すように、伸張及び復帰に要する時間は、同じ（Ｔ１’＝Ｔ２’）としたり、前者を後者より長く（Ｔ３’＞Ｔ４’）したり、逆に後者を前者より長く（Ｔ５’＜Ｔ６’）とすることで、さまざまなストレッチパターンを実施することができる。
【００２１】
また、図８(b)に示すように、伸縮の範囲を任意の範囲内とするようにしてもよく、また図８(c)に示すように、伸縮範囲を徐々に大きくするようにすることで、関節への負担を小さくすることができる。
【００２２】
なお、足マッサージ部２２をスライド駆動する際に、オットマン２全体を上下回動させることもできることから、このものにおいても膝のストレッチと足先のストレッチとを同時に行うことができる。この場合、オットマン２が座部１１の前端から垂れ下がった状態の時に足マッサージ部２２がスライドして間隔Ｌが大きくなるようにしておくことが着座時の膝関節の位置とオットマン２の回動支点との位置関係の点で好ましい。
【図面の簡単な説明】
【００２３】
【図１】本発明の実施の形態の一例の動作説明図である。
【図２】同上の側面図である。
【図３】同上の正面図である。
【図４】(a)(b)(c)は夫々同上の動作のタイムチャートである。
【図５】同上の他例の概略側面図である。
【図６】他の実施の形態の一例を示すもので、(a)は概略側面図、(b)はＸ−Ｘ線断面図である。
【図７】同上の動作説明図である。
【図８】(a)(b)(c)は夫々同上の動作のタイムチャートである。
【符号の説明】
【００２４】
１  椅子式マッサージ機
２  オットマン
２１  脚マッサージ部
２２  足マッサージ部 
【図１】
2005278700.tif 000003
【図２】
2005278700.tif 000004
【図３】
2005278700.tif 000005
【図４】
2005278700.tif 000006
【図５】
2005278700.tif 000007
【図６】
2005278700.tif 000008
【図７】
2005278700.tif 000009
【図８】
2005278700.tif 000010